(57)【要約】【課題】分岐ブレーカ用の表示カードが入るポケット付きのカードホルダが、安価に得られるようにする。【解決手段】左右の分岐ブレーカ３間において保護プレート５の外面に貼られるべきカードホルダ７が、連続的につながったホルダシート９である。ホルダシート９は、ベースシート１０と透明シート１１とを２枚重ねにして、縦溶着線１２と多数の横溶着線１３とで一体化されている。シート本体９ａの縦溶着線１２の左右には、表示カード１７が横外側方の差し込み口１５を介して差し込まれるポケット１６が、各横溶着線１３・１３間に長手方向にわたって列設されている。ホルダシート９を所定の横溶着線１３上で切り離すことにより、必要数のポケット１６を左右に有するカードホルダ７が得られる。【選択図】図２
2005057971.tif 000002
【特許請求の範囲】
【請求項１】
ブスバーをはさんでこれの左右に分岐ブレーカ３が縦方向に一定ピッチで配設されており、ブスバーおよび分岐ブレーカ３の外面が保護プレート５で覆われている分電盤１において、左右の分岐ブレーカ３間において保護プレート５の外面に貼られるべきカードホルダ７が、連続的につながったホルダシート９であって、
プラスチック製のベースシート１０とプラスチック製の透明シート１１とを２枚重ねにした長尺のシート本体９ａを有し、
ベースシート１０と透明シート１１とが、シート本体９ａの左右幅方向の中央部位で長手方向にわたって熱溶着された縦溶着線１２と、シート本体９ａの左右幅方向にわたって長手方向に前記分岐ブレーカ３の上下方向の隣接ピッチと実質的に同一ピッチで一定間隔置きに熱溶着された多数の横溶着線１３とで一体化されており、
シート本体９ａの縦溶着線１２の左右には、表示カード１７が横外側方の差し込み口１５を介して差し込まれるポケット１６が、各横溶着線１３・１３間に長手方向にわたって列設されており、
シート本体９ａから横溶着線１３上で切離されたカードホルダ７が、ベースシート１０を介して保護プレート５に貼り付けられるようにしたことを特徴とする分電盤用カードホルダのホルダシート。
【請求項２】
横溶着線１３に切離用の切れ目２０が入っている請求項１記載の分電盤用カードホルダのホルダシート。
【請求項３】
縦溶着線１２にも切れ目２１が入っている請求項２記載の分電盤用カードホルダのホルダシート。
【請求項４】
ベースシート１０の左右幅寸法が、透明シート１１の左右幅寸法よりも大きく設定されており、
ポケット１６の差し込み口１５において、透明シート１１の側端縁１１ａがベースシート１０の側端縁１０ａよりも中央寄りに位置している請求項１記載の分電盤用カードホルダのホルダシート。
【請求項５】
カードホルダ７はこれのベースシート１０を介して保護プレート５に両面接着テープ１９で貼り付けることができる請求項１記載の分電盤用カードホルダのホルダシート。
【請求項６】
ブスバーの左右の少なくとも一側方に分岐ブレーカ３が縦方向に一定ピッチで配設されており、ブスバーおよび分岐ブレーカ３の外面が保護プレート５で覆われている分電盤１において、各分岐ブレーカ３に対応して保護プレート５の外面に貼られるべきカードホルダ７が、連続的につながったホルダシート９であって、
プラスチック製のベースシート１０とプラスチック製の透明シート１１とを２枚重ねにした長尺のシート本体９ａを有し、
ベースシート１０と透明シート１１とが、シート本体９ａの幅方向の一端部で長手方向にわたって熱溶着された縦溶着線１２と、シート本体９ａの左右幅方向にわたって長手方向に前記分岐ブレーカ３の上下の隣接ピッチと実質的に同一ピッチで一定間隔置きに熱溶着された多数の横溶着線１３とで一体化されており、
シート本体９ａには、表示カード１７が横外側方の差し込み口１５を介して差し込まれるポケット１６が、各横溶着線１３・１３間に長手方向にわたって列設されており、
シート本体９ａから横溶着線１３上で切離された単位のカードホルダ７が、ベースシート１０を介して保護プレート５に貼り付けられるようにしたことを特徴とする分電盤用カードホルダのホルダシート。
【発明の詳細な説明】
【技術分野】
【０００１】
分電盤においては、ブスバーの左右に分岐ブレーカが縦方向に一定の隣接ピッチで配設されており、ブスバーおよび分岐ブレーカの外面が保護プレートで覆われている。その保護プレートの外面には、個々の分岐ブレーカの分岐先や分岐番号等を表示する表示カードを入れたカードホルダが付設される。本発明は、かかる用途のカードホルダが切り離すだけで簡単に得られるホルダシートに関する。
【背景技術】
【０００２】
この種のカードホルダの従来例として、透明プラスチック材でホルダ本体を縦長のハット形断面に成形し、ホルダ本体を保護プレートに接着して、ホルダ本体内に表示カードを差し込む形態が特許文献１に公知である。弾性を有する透明プラスチック製のシートを二つ折りにして、その間に表示カードを挟み保持するカードホルダもある（特許文献２）。
【０００３】
【特許文献１】実開昭５６−１４５３０２号公報（実用新案登録請求の範囲、第２図）
【特許文献２】実開昭５１−６９０３６号公報（実用新案登録請求の範囲、第２図）
【発明の開示】
【発明が解決しようとする課題】
【０００４】
上記のカードホルダによれば、左右の分岐ブレーカを表示カードでひとまとめに表示できるし、表示変更に伴って表示カードも取り替え可能ではある。しかし、表示内容が１箇所でも変ると、表示カードこれ全体をいったん抜き出して表示内容を変更する必要があり、その作業に手間が掛かる。分岐ブレーカの使用個数は分電盤によって様々に異なるので、分岐ブレーカの使用個数に対応した表示カード用のホルダを用意することはコスト高になる。そのため、大きめのカードホルダを共用しているが、無駄が多く、使用しない領域が多いと体裁が悪い。またブスバーの通電容量が大きくなると、分岐ブレーカ列の左右間隔が大きくなるが、その場合にカードホルダの表示と分岐ブレーカとの距離が大きくなり、対応関係が判り難い点にも改良の余地があった。
【０００５】
本発明の目的は、分岐ブレーカの使用個数に応じて無駄のない状態で表示できるカードホルダが切り離すだけで容易に得られるホルダシートを提供することにある。本発明の目的は、カードホルダの表示内容の変更が少ない手間で簡便に行えるホルダシートを提供することにある。
【課題を解決するための手段】
【０００６】
本発明は、図１に示すごとくブスバーをはさんでこれの左右に分岐ブレーカ３が縦方向に一定ピッチで配設されており、ブスバーおよび分岐ブレーカ３の外面が保護プレート５で覆われている分電盤１において、左右の分岐ブレーカ３間において保護プレート５の外面に貼られるべきカードホルダ７が、連続的につながったホルダシート９を対象とする。
【０００７】
本発明のホルダシート９は、図１ないし図３に示すごとく、プラスチック製のベースシート１０とプラスチック製の透明シート１１とを２枚重ねにした長尺のシート本体９ａを有し、ベースシート１０と透明シート１１とが、シート本体９ａの左右幅方向の中央部位で長手方向にわたって熱溶着された縦溶着線１２と、シート本体９ａの左右幅方向にわたって長手方向に前記分岐ブレーカ３の上下方向の隣接ピッチと実質的に同一ピッチで一定間隔置きに熱溶着された多数の横溶着線１２とで一体化されている。
【０００８】
かくして、シート本体９ａの縦溶着線１２の左右には、表示カード１７が横外側方の差し込み口１５を介して差し込まれるポケット１６が、各横溶着線１３・１３間に長手方向にわたって列設されており、シート本体９ａから横溶着線１３上で切離されたカードホルダ７が、ベースシート１０を介して保護プレート５に貼り付けられるようにしたことを特徴とする。
【０００９】
その際、図５に示すごとく、横溶着線１３に切離用の切れ目２０が入っていると、ホルダシート９からのカードホルダ７の切り離し作業が更に有利になる。また、シート本体９ａを左右に二分するために、縦溶着線１２にも、切れ目２１を入れることができる。
【００１０】
ベースシート１０の左右幅寸法は、透明シート１１の左右幅寸法よりも大きく設定し、ポケット１６の差し込み口１５において、透明シート１１の側端縁１０ａがベースシート１０の側端縁１０ａよりも中央寄りに位置している。
【００１１】
カードホルダ７は、これのベースシート１０を介して保護プレート５に両面接着テープ１９で貼り付けることができる。例えば、先にベースシート１０に両面接着テープ１９を貼り、すなわちベースシート１０に剥離紙付の接着剤層を形成したのち、ベースシート１０を接着剤層を介して保護プレート５に貼り付けてもよいし、保護プレート５側に両面接着テープ１９を貼ったのちにカードホルダ７を貼り付けてもよい。
【００１２】
また、本発明のホルダシート９は、図２を参照して説明すると、ベースシート１０と透明シート１１とが、シート本体９ａの幅方向の一端部で長手方向にわたって熱溶着された縦溶着線１２と、シート本体９ａの左右幅方向にわたって長手方向に前記分岐ブレーカ３の上下方向の隣接ピッチと実質的に同一ピッチで一定間隔置きに熱溶着された多数の横溶着線１２とで一体化する。そして、シート本体９ａには、表示カード１７が横外側方の差し込み口１５を介して差し込まれるポケット１６が、各横溶着線１３・１３間に長手方向にわたって列設されており、シート本体９ａから横溶着線１３上で切離された単位のカードホルダ７が、ベースシート１０を介して保護プレート５に貼り付けられるようにしたことを特徴とする。
【発明の効果】
【００１３】
請求項１記載の本発明によれば、ベースシート１０上に透明シート１１を２枚重ねにして縦溶着線１２と横溶着線１３とを入れるだけでホルダシート９が低コストで量産できる。後はホルダシート９からカードホルダ７を切り離すだけでよい。すなわち、分電盤１の左右に配した分岐ブレーカ３が、例えば６列に並んでおれば、シート本体９ａの左右に６個のポケット１６が一連につながるよう横溶着線１３上でシート本体９ａを切り離してカードホルダ７を得る。このカードホルダ７は、左右の分岐ブレーカ３間のブスバー上において保護プレート５の外面に貼り付けることになる。左右の分岐ブレーカ３における縦方向の隣接ピッチと、横溶着線１３すなわちポケット１６の配設ピッチとは一致している。したがって、各分岐ブレーカ３に対応して各ポケット１６が近接して左右に並ぶ状態となる。その結果、各ポケット１６に、これに対応する表示カード１３を差し込み口１５を介して差し込み装着しておけば、各分岐ブレーカ３に対応する表示カード１７の記載を透明シート１０越しに見ることができる。
【００１４】
そこでは、左右の分岐ブレーカ３群の列設数に合わせてシート本体９ａを所定の横溶着線１３上でハサミやカッタなどにより切り離して単位のカードホルダ７を形成するだけでよく、カードホルダ７が無駄なく簡単に、しかも安価に得られる。表示カード１７に表示変更を生じたときは、該当の表示カード１７のみを抜き外して差し換えるだけで済む。
【００１５】
請求項２記載の本発明によれば、横溶着線１３に切離用の切れ目２０を入れてあるので、ホルダシート９からのカードホルダ７の切り離し作業が容易に行える。これは先のハサミやカッタなどの工具を用いなくても済むことにつながる。
【００１６】
請求項３記載の本発明によれば、縦溶着線１２にも切れ目２１を入れてあるので、シート本体９ａからカードホルダ７を前述の要領で切り離したのち、更にカードホルダ７を左右に二分するのに有利である。したがって、左右の分岐ブレーカ３の対向間隔が大きい場合にも、左右に二分割したカードホルダ７・７をこれが左右の分岐ブレーカ３に近接した状態で配置でき、分岐ブレーカ３と表示カード１７との対応関係が見易いものになる。
【００１７】
請求項４記載の本発明によれば、ポケット１６に表示カード１７を差し込む際に、差し込み口１５において表示カード１７の端をベースシート１０の端部に当てて透明シート１１の内側に滑り込ませればよい。ポケット１６に表示カード１７を差し込み装着した状態では、表示カード１７の端がベースシート１０上において透明シート１１の側端縁１１ａから一部突出した状態にしておけるので、表示カード１７をつかみ出しやすい。したがって、ポケット１６に対する表示カード１７の出し入れが容易に行える。
【００１８】
請求項５記載の本発明によれば、カードホルダ７のベースシート１０は保護プレート５に対して両面接着テープ１９で貼り付けられるようにしたので、保護プレート５に対するカードホルダ７の付設が容易に行える。
【００１９】
請求項６記載の本発明によれば、左右の分岐ブレーカ３の対向間隔が大きい場合や、ブスバーの一方にのみ分岐ブレーカ３が配されている場合などにおいて、分岐ブレーカ３に近接する対応位置にカードホルダ７を貼り付けるのに有利である。
【発明を実施するための最良の形態】
【００２０】
図１において、符号１は縦型の分電盤であり、開口前面を開閉する扉を有する。分電盤１の内部には、主幹ブレーカ２を有し、主幹ブレーカ２につながる図外のブスバーを挟んでこれの左右に複数の分岐ブレーカ３が上下縦方向に一定の隣接ピッチで左右対向状に配設されている。図示例では、上段側の左右に上下６個、下側段の左右に上下３個の分岐ブレーカ３がそれぞれ配されている。
【００２１】
分電盤１内において、主幹ブレーカ２、メインバーおよび分岐ブレーカ３の外面（外側前面）は、取り外しが可能な保護プレート５で覆われている。但し、主幹ブレーカ２および各分岐ブレーカ３の操作スイッチ部は、保護プレート５に設けた開口６を介して前方外側に臨出している。保護プレート２の外面には、左右の分岐ブレーカ３群間のブスバー上に位置する部位にカードホルダ７が取り付けられる。
【００２２】
分岐ブレーカ３は操作スイッチ部を含めて外径寸法が規格化されている。したがって、上下に隣接する分岐ブレーカ３・３どうしは、常に一定の隣接ピッチで並んでいる。
【００２３】
カードホルダ７は、これが連続状につながる本発明のホルダシート９から切り離されて得られる。そのホルダシート９は、図２に示すごとくこれのシート本体９ａがベースシート１０と透明シート１１とを含み、左右の分岐ブレーカ３間に納まる左右幅寸法を有する上下縦長の長尺物であり、必要に応じてロール巻きできる。
【００２４】
ベースシート１０は、塩化ビニルやポリプロピレンなどの腰の強い有色のプラスチックシートからなる。透明シート１１は、透明ないし半透明のプラスチックシートからなる。ベースシート１０と透明シート１１とは、２枚合わせにした状態で熱溶着して一体化される。
【００２５】
すなわち、ベースシート１０と透明シート１１とは、シート本体９ａの左右幅方向の中央部位で長手方向にわたって熱溶着された縦溶着線１２と、シート本体９ａの左右幅方向にわたって熱溶着された多数の横溶着線１３とで一体化されている。横溶着線１３は、シート本体９ａの長手方向にわたって分岐ブレーカ３の上下方向の隣接ピッチと同一ピッチで一定間隔置きに形成されている。具体的には分岐ブレーカ３の上下方向の隣接ピッチが一般に２５mmであるので、これに合わせて横溶着線１３の配設ピッチを２５mmに設定した。
【００２６】
かくして、シート本体９ａの縦溶着線１２の左右には、横外側方に差し込み口１５を有するポケット１６が、各横溶着線１３・１３間に長手方向にわたって列設されたものとなる。
【００２７】
ベースシート１０の左右幅寸法は、図３に示すごとく透明シート１１の左右幅寸法よりも大きく設定されている。したがって、ポケット１６の差し込み口１５において、透明シート１１の側端縁１１ａはベースシート１０の側端縁１０ａよりも中央寄りに位置している。
【００２８】
次に、本発明のホルダシート９の使用例を説明すると、分岐ブレーカ３の使用個数に応じてホルダシート９を所定の横溶着線１３上でハサミなどにより切り離してカードホルダ７を形成し、このカードホルダ７を保護プレート５の所定位置に貼り付ける。相前後してカードホルダ７の各ポケット１６に分岐ブレーカ３の分岐先や分岐番号等を記載した表示カード１７を横外側方から差し込み口１５を介して挿入することになる。
【００２９】
保護プレート５の外面にカードホルダ７を貼り付けるに先立って、図３に示すごとくベースシート１０の裏面側の左右には縦方向に沿って両面接着テープ１９を付設しておく。すなわち、両面接着テープ１９の一方の剥離紙を剥離して、その接着剤層をベースシート１０に接着する。かくして、他方の剥離紙を剥離したのち、該当の接着剤層を介してカードホルダ７を保護プレート５上に貼り付けることになる。
【００３０】
ポケット１６の差し込み口１５において、透明シート１１の側端縁１１ａはベースシート１０の側端縁１０ａよりも中央寄りに位置しているので、表示カード１７の差し込み端をベースシート１０の側端縁部分に当てて透明シート１１の内側に滑り込ませることにより、ポケット１６に表示カード１７を容易に差し込み装着できる。ポケット１６に表示カード１７が差し込み装着された状態においては、表示カード１７の端縁部が透明シート１１の側端縁１１ａから一部食み出しているので、表示変更をする場合などには表示カード１７をポケット１６からつかみ出しやすい。
【００３１】
図４は本発明に係るカードホルダ７の別使用例を示しており、これでは左右の分岐ブレーカ３の対向間隔が大きい場合に、カードホルダ７を縦溶着線１２上で左右に二分割し、保護プレート５上にバラバラに貼り付けている。この場合、左右の各分岐ブレーカ３に対してカードホルダ７の各ポケット１６が近接する状態となるので、各分岐ブレーカ３と各ポケット１６に入れた表示カード１７との対応関係が認めやすいものとなる。
【００３２】
図４の別実施例は、ホルダシート９からカードホルダ７を予め左右に分割された状態で得られるようにした請求項６の形態を示唆している。
【００３３】
図５は本発明の別実施例を示しており、これでは各横溶着線１３の中央に左右方向にわたって切れ目２０を入れてある。これによれば、ホルダシート９からカードホルダ７を横溶着線１３上で切り離す作業が容易に行えることになる。更に、縦溶着線１２にも切れ目２１を入れて、図４の使用例で示すようにカードホルダ７を左右に二分割する際に、この分割作業が容易に行えるようになっている。
【図面の簡単な説明】
【００３４】
【図１】分電盤の正面図
【図２】ホルダシートの斜視図
【図３】図１のＡーＡ線断面図
【図４】カードホルダの別使用例を示す正面図
【図５】本発明の別実施例を示す正面図
【符号の説明】
【００３５】
１  分電盤
３  分岐ブレーカ
５  保護プレート
７  カードホルダ
９  ホルダシート
９ａ  シート本体
１０  ベースシート
１１  透明シート
１２  縦溶着線
１３  横溶着線
１５  ポケットの差し込み口
１６  ポケット
１７  表示カード
１９  両面接着テープ
【図１】
2005057971.tif 000003
【図２】
2005057971.tif 000004
【図３】
2005057971.tif 000005
【図４】
2005057971.tif 000006
【図５】
2005057971.tif 000007